(57)【要約】      （修正有）【課題】壁掛け式姿見鏡、立て掛け式の姿見鏡、自立式の姿見鏡、キャスター付き姿見鏡など、ユーザの好みに応じてデザインパターンを自由に変更できるようにした鏡を提供する。【解決手段】縦長長方形状のフレームに同形状の鏡を固定してなりフレームの背面に引っ掛け部が設けられて壁掛け式の姿見鏡として利用し得る鏡本体１０と、鏡本体の下辺部に着脱可能に固定されることによって鏡本体を立て掛け式の姿見鏡として利用するための脚２０、鏡本体のフレーム背面に着脱可能に固定され脚を固定した鏡本体を自立式の姿見鏡として利用するための自立脚３０、及び脇柱を鏡本体のフレーム両辺部に着脱可能にかつ傾動可能に取付けることによって移動可能かつ自立可能なキャスター付き姿見鏡として利用するためのキャスター台４０の少なくとも１つとから姿見鏡を構成する。【選択図】図１
0003144951.tif 000002
【実用新案登録請求の範囲】
【請求項１】
縦長長方形状のフレームに同形状の鏡を固定してなり上記フレームの背面に引っ掛け部が設けられて壁掛け式の姿見鏡として利用し得る鏡本体と、
該鏡本体の下辺部に着脱可能に固定されることによって上記鏡本体を立て掛け式の姿見鏡として利用するための脚、上記鏡本体のフレーム背面に着脱可能に固定され上記脚を固定した鏡本体を自立式の姿見鏡として利用するための自立脚、及び脇柱を上記鏡本体のフレーム両辺部に着脱可能にかつ傾動可能に取付けることによって移動可能かつ自立可能なキャスター付き姿見鏡として利用するためのキャスター台の少なくとも１つとから構成されており、
上記鏡本体と、上記脚、補助脚又はキャスター台との選択的な組み合わせによってデザインパターンを変更できるようにしたことを特徴とする姿見鏡。
【請求項２】
上記鏡本体と脚、補助脚又はキャスター台とがねじ又は取付けピンによって着脱可能に取付けられるようになっている請求項１記載の姿見鏡。
【請求項３】
上記鏡本体はそのフレームにねじがねじ込まれるねじ穴及び取付けピンが回転可能に挿通される挿通穴が予め形成されている請求項２記載の姿見鏡。
【請求項４】
上記鏡本体のフレーム、脚、補助脚及びキャスター台の脇柱が木材又は合成樹脂材料によって製作されている請求項１記載の姿見鏡。
【考案の詳細な説明】
【技術分野】
【０００１】
本考案は姿見鏡に関し、特に壁掛け式姿見鏡、立て掛け式の姿見鏡、自立式の姿見鏡、キャスター付き姿見鏡など、ユーザの好みに応じてデザインパターンを自由に変更できるようにした鏡に関する。
【背景技術】
【０００２】
従来、家庭用の鏡は手鏡、洗面所の鏡や化粧用鏡台の鏡などがほとんどであったが、最近の生活様式の変化に伴い、全高が１．５ｍといった大型の姿見鏡、例えば壁掛け式、立て掛け式、自立式、キャスター付きなど種々な形式の姿見鏡が提案され実用化されている（特許文献１、特許文献２、特許文献３、特許文献４）。
【０００３】
【特許文献１】実開昭５７−１１３０７７号公報
【特許文献２】実用新案登録第２５７１６２０号公報
【特許文献３】実用新案登録第３０６５８８１号公報
【特許文献４】実開平０４−９５７６３号公報
【考案の開示】
【考案が解決しようとする課題】
【０００４】
ところで、大型の姿見鏡は室内装飾を兼ねていることが多く、部屋の模様替えをしたときには姿見鏡の形式を変更したいときがあるが、従来の姿見鏡では形式を変更したいときには新しく購入する必要があってコスト高になるばかりでなく、煩わしいという問題があった。
【０００５】
本考案はかかる状況において、壁掛け式の姿見鏡、立て掛け式の姿見鏡、自立式の姿見鏡、キャスター付き姿見鏡など、ユーザの好みに応じて形式を自由に変更できるようにした鏡を提供することを課題とする。
【課題を解決するための手段】
【０００６】
そこで、本考案に係る姿見鏡は、縦長長方形状のフレームに同形状の鏡を固定してなり上記フレームの背面に引っ掛け部が設けられて壁掛け式の姿見鏡として利用し得る鏡本体と、該鏡本体の下辺部に着脱可能に固定されることによって上記鏡本体を立て掛け式の姿見鏡として利用するための脚、上記鏡本体のフレーム背面に着脱可能に固定され上記脚を固定した鏡本体を自立式の姿見鏡として利用するための自立脚、及び脇柱を上記鏡本体のフレーム両辺部に着脱可能にかつ傾動可能に取付けることによって移動可能かつ自立可能なキャスター付き姿見鏡として利用するためのキャスター台の少なくとも１つとから構成されており、上記鏡本体と、上記脚、補助脚又はキャスター台との選択的な組み合わせによってデザインパターンを変更できるようにしたことを特徴とする。
【０００７】
本考案の特徴は壁掛け式の姿見鏡として利用し得る鏡本体と、脚、自立脚、及びキャスター台との組み合わせを選択することによって壁掛け式の姿見鏡を立て掛け式の姿見鏡、自立式の姿見鏡又はキャスター付き姿見鏡として利用できるようにした点にある。
【０００８】
これにより、ユーザが脚、自立脚又はキャスター台を予め又は必要に応じて購入することによって姿見鏡のデザインパターンを自由に変更することができ、部屋の模様替えをしたときなどに、煩わしさを感じることなく、室内装飾品としての姿見鏡の形式を自由に変更することができる。また、脚、自立脚又はキャスター台といった部品を購入すればよく、新しく姿見鏡を購入する必要がないので、コスト高を招来することもない。
【０００９】
ユーザが姿見鏡の形式を自由に変更できるように、鏡本体と脚、補助脚又はキャスター台とをねじ又は取付けピンによって着脱可能に取付けるのがよい。
【００１０】
また、鏡本体フレームには脚、補助脚又はキャスター台を取付けるために、ねじをねじ込むねじ穴及び取付けピンを回転可能に挿通する挿通穴を予め形成しておくのがよい。
【００１１】
さらに、コスト及び加工性を考慮すると、鏡本体のフレーム、脚、補助脚及びキャスター台の脇柱は木材や合成樹脂材料によって製作されるのがよい。
【考案を実施するための最良の形態】
【００１２】
以下、本考案を図面に示す具体例に基づいて詳細に説明する。図１ないし図７は本考案に係る姿見鏡の好ましい実施形態を示す。本例の姿見鏡は鏡本体１０と、脚２０、自立脚３０及びキャスター台４０との組み合わせから構成されている。
【００１３】
鏡本体１０は例えば高さ１．３ｍの縦長四角形状の木製フレーム１１に同形状の鏡１２を接着剤などによって固定して構成され、木製フレーム１１の背面には壁掛け用の紐（引っ掛け部）１３が取付けられるとともに、木製フレーム１１の背面上辺中央にはゴム板などの衝撃吸収部材１４が固定され、又木製フレーム１１にはねじ穴１５、ばね取付け穴１６及び取付けピンの挿通穴（図示せず）が形成されている。
【００１４】
脚２０は木材又は合成樹脂材料を用いて四角形フレーム状に製作され、上辺部には段部が形成されるとともにねじ穴２１が形成され、底辺部にはゴム板などの衝撃吸収部材２３が固定されている。
【００１５】
自立脚３０は縦長凵状の上端に受け杆３４を蝶番３３によって回転可能に取付けて構成され、受け杆３４にはねじ穴３５が形成され、又自立脚３０には姿勢保持用のばね部材３２が装備されるとともに、自立脚３０の一方の側辺部にはばね部材３２の引っ掛け３６が形成されている。
【００１６】
キャスター台４０は脇柱４１とベース４３とからなる左右の逆Ｔ字状部材の間を連結杆で連結し下辺部にキャスター４４を取付けて構成され、脇柱４１の上部には取付けピンのねじ穴４６が形成され、又キャスター台４０には取付けピン４２は座金４５が装備されている。
【００１７】
本例の姿見鏡を壁掛け式で用いる場合、壁の適当な高さにフックなどの金具を固定し、金具に鏡本体１０の壁掛け用紐１３を引っ掛けて鏡本体１０を壁に保持すればよい。このとき、衝撃吸収部材１４が壁と当たるので、壁が傷ついたり、鏡本体１０の木製フレーム１１が傷つくことはない。
【００１８】
また、立て掛け式の姿見鏡として用いる場合、鏡本体１０だけでは高さが不足するおそれがあるので、図４に示されるように、鏡本体１０の下辺部に脚２０の段部を嵌め合わせ、ねじ２２で固定すると、図３に示されるように鏡本体１０を適切な高さにすることができ、これを壁面に立て掛けると、立て掛け式の姿見鏡を構成することができる。
【００１９】
さらに、自立式の姿見鏡として用いる場合、図６に示されるように、脚２０を固定した鏡本体１０の木製フレーム１１の背面に自立脚３０の受け杆３４を当ててねじ３１で固定するとともに、自立脚３０の引っ掛け３６と木製フレーム１１の引っ掛け用穴１６との間にばね部材３２を引っ掛けて引っ張り方向に付勢されると、図５に示されるように、自立脚３０によって鏡本体１０を自立させることができる。
【００２０】
また、キャスター式の姿見鏡として用いる場合、図７の(a)に示されるように、鏡本体１０の木製フレーム１１の両辺部をキャスター台４０の脇柱４１の間に差し込み、脇柱４１のねじ穴４６に取付けピン４２をねじ込んで挿通させ、挿通部分を座金及び木製フレーム１１の挿通穴に挿入すると、図７の(b)に示されるように、鏡本体１０をキャスター台４０に回転自在に取付けることができる。
【００２１】
したがって、鏡本体１０と、脚２０、自立脚３０及びキャスター台４０の組み合わせを選択することによってユーザの好みに応じた形式の姿見鏡を組み立てることができることとなる。
【００２２】
また、姿見鏡の形式を変更したいときには、それに対応する脚２０、自立脚３０又はキャスター台４０を用意し又は購入し、交換することによって自由に形式を変更することができる。
【００２３】
なお、販売にあたっては、鏡本体１０と、脚２０、自立脚３０及びキャスター台４０の組み合わせを予め購入してもよく、又鏡本体１０と脚２０、鏡本体１０と脚２０と自立脚３０、鏡本体１０とキャスター台４０のようなセットで販売し、他の部品は交換品として販売するようにしてもよい。
【図面の簡単な説明】
【００２４】
【図１】本考案に係る姿見鏡の好ましい実施形態を示す図である。
【図２】上記実施形態における壁掛け式の姿見鏡をを示す図である。
【図３】上記実施形態における立て掛け式の姿見鏡を示す図である。
【図４】上記立て掛け式の姿見鏡の組立て方法を模式的に示す図である。
【図５】上記実施形態における自立式の姿見鏡を示す図である。
【図６】上記自立式の姿見鏡の組立て方法を模式的に示す図である。
【図７】上記実施形態におけるキャスター式の姿見鏡を示す図である。
【符号の説明】
【００２５】
１０        鏡本体
１１        木製フレーム
１２        鏡
１３        壁掛け用紐（引っ掛け部）
１５        ねじ穴
２０        脚
２１        ねじ穴
２２        ねじ
３０        自立脚
３１        ね  し
３４        受け杆
３５        ねじ穴
４０        キャスター台
４１        脇柱
４４        キャスター
【図１】
0003144951.tif 000003
【図２】
0003144951.tif 000004
【図３】
0003144951.tif 000005
【図４】
0003144951.tif 000006
【図５】
0003144951.tif 000007
【図６】
0003144951.tif 000008
【図７】
0003144951.tif 000009